(57)【要約】【課題】隣接レーザ光同士の干渉を抑えることができ、それにより、被照射物の表面におけるレーザ光の強度のむらを抑えることができるレーザアレイを提供する。【解決手段】最隣接のレーザ素子間（レーザ素子２１１と２１２の間）において、発振されるレーザ光の偏光の方向が互いに異なるようにする。又は、最隣接のレーザ素子間（レーザ素子２２１と２２２の間）において、発振されるレーザ光の波長が異なるようにする。このように偏光又は波長が異なるレーザ光同士は干渉しないため、被照射物の表面においてレーザ光の強度のむらが生じることを抑えることができる。また、偏光の方向をレーザ素子の配列方向に対して45°傾けることにより、シェーディングを抑制することができる。【選択図】図２
2008060433.tif 000002
【特許請求の範囲】
【請求項１】
複数のレーザ素子が配列されて成るレーザアレイにおいて、
各レーザ素子が、最隣接のレーザ素子から発振されるレーザ光とは偏光の方向が異なるレーザ光が発振されるように配置されていることを特徴とするレーザアレイ。
【請求項２】
各レーザ素子が、最隣接のレーザ素子から発振されるレーザ光とは偏光の方向が90°異なる直線偏光のレーザ光が発振されるように配置されていることを特徴とする請求項１に記載のレーザアレイ。
【請求項３】
複数のレーザ素子が配列されて成るレーザアレイにおいて、
各レーザ素子が、最隣接のレーザ素子から発振されるレーザ光とは波長が異なるレーザ光が発振されるように配置されていることを特徴とするレーザアレイ。
【請求項４】
各レーザ素子の偏光の方向が、最隣接のレーザ素子が並ぶ方向に対して45°傾いていることを特徴とする請求項２又は３に記載のレーザアレイ。
【請求項５】
前記レーザ素子が２次元的に配列されていることを特徴とする請求項１〜４のいずれかに記載のレーザアレイ。
【請求項６】
前記レーザ素子が、活性層と、該活性層の一方の側に設けた２次元フォトニック結晶と、を有する２次元フォトニック結晶面発光レーザ素子であることを特徴とする請求項１〜５のいずれかに記載のレーザアレイ。
【請求項７】
前記２次元フォトニック結晶がスラブ状の部材内に該部材とは屈折率の異なる非円形の領域を多数配列したものであり、最隣接するレーザ素子同士で異屈折率領域の向きが異なることを特徴とする請求項６に記載のレーザアレイ。
【請求項８】
前記異屈折率領域が楕円形であることを特徴とする請求項７に記載のレーザアレイ。
【請求項９】
前記異屈折率領域が三角形であることを特徴とする請求項７に記載のレーザアレイ。
【請求項１０】
前記２次元フォトニック結晶がスラブ状の部材内に該部材とは屈折率の異なる領域を多数配列したものであり、最隣接するレーザ素子同士で異屈折率領域の配列周期が異なることを特徴とする請求項６〜９のいずれかに記載のレーザアレイ。
【請求項１１】
前記複数のレーザ素子が、１個の活性層と、１個のスラブ状部材が複数の結晶領域に分けられ最隣接の結晶領域同士で異屈折率領域の配列が異なるように形成されて成る１個の２次元フォトニック結晶と、前記結晶領域毎に該活性層及び該２次元フォトニック結晶を挟むように配置された電極対と、を有することを特徴とする請求項６〜１０のいずれかに記載のレーザアレイ。
【発明の詳細な説明】
【技術分野】
【０００１】
本発明は、レーザ光走査装置等に用いられるレーザアレイに関する。
【背景技術】
【０００２】
近年、レーザプリンタや複写機等において、印刷速度を向上させるために、複数のレーザビームを用いて複数のドットを同時に書き込むマルチビーム方式のレーザ光走査装置が用いられている。
【０００３】
図１を用いて、マルチビーム方式のレーザ光走査装置１０の構成の概略を説明する。レーザ光走査装置１０は、レーザアレイ１１、コリメータレンズ１２、アパチャ１３、シリンドリカルレンズ１４、ポリゴンミラー１５、f-θレンズ１６を有する。レーザプリンタ等の装置において、レーザ光走査装置１０により、レーザ光のスポットはドラム感光体１７の表面で走査される。
レーザアレイ１１の各発光点で発振された複数のレーザ光のビームは、コリメータレンズ１２を通過することにより平行ビームになる。次に、これらのレーザビームはアパチャ１３及びシリンドリカルレンズ１４を通過する。アパチャ１３は後述のドラム感光体１７の面上におけるビームの形状を整形するためのものであり、シリンドリカルレンズ１４はレーザ光の断面を、主走査方向に延びる線状に成形するためのものである。シリンドリカルレンズ１４を通過したレーザ光は、回転するポリゴンミラー１５の側面において反射され、f-θレンズ１６を通過してドラム感光体１７に照射される。f-θレンズ１６は、ドラム感光体１７の表面に照射されるレーザビームスポットの移動速度を等速にすると共に、ビームの焦点をドラム感光体１７の面上に合わせる役割を有する。このような構成により、レーザビームスポットはドラム感光体１７の表面で主走査方向に繰り返し走査される。
【０００４】
マルチビーム方式のレーザ光走査装置においては、各ビームが可干渉状態となり、その影響が感光体上で濃度ムラとなって現れてしまうという問題がある。
【０００５】
特許文献１及び２には、そのような干渉を防ぐための構成が記載されている。
特許文献１には、２個の発光点を有するマルチビームレーザ光走査装置において、アパチャの開口幅W、２個の発光点の間隔d、コリメータレンズの焦点距離f及びレーザ光の波長λという４つのパラメータが所定の関係を満たす時に干渉を防ぐことができる、と記載されている。しかし、特許文献１に記載の構成では、スリットの開口幅やコリメータレンズの焦点距離が制限されてしまう。
【０００６】
特許文献２には、２個の発光点を有するマルチビームレーザ光走査装置において、一方の発光点にシングル縦モードのレーザ光を発振するレーザを、他方の発光点にマルチ縦モードのレーザ光を発振するレーザを、それぞれ用いることにより干渉を防ぐことができることが記載されている。しかし、このマルチビームレーザ光走査装置は、マルチ縦モードのレーザ光を発振させるための高周波回路が必要になるため、コストが高くなるという欠点を有する。
【０００７】
また、マルチビーム方式を含むレーザ光走査装置において、レーザ光がポリゴンミラーにより反射される際、あるいはレンズ入射時に一部が反射される際に、レーザビームの入射角に依存して反射率の変動が生じる。それにより、被照射物の表面に入射するレーザ光の強度にむらが生じるおそれがある（シェーディング）。例えば、ポリゴンミラー表面の法線と光の進行方向を含む面内で電界が振動する直線偏光であるp偏光は、この表面への入射角が特定の値（ブリュースター角、約55°）で反射率が極小値を持つ強度変化を示す。また、p偏光に垂直な直線偏光であるs偏光は、入射角が増加するに従って反射率が増加する強度変化を示す。
【０００８】
特許文献３には、半導体レーザを１個のみ用いたレーザ光走査装置において、半導体レーザから発信されるレーザ光の偏光方向を走査方向に対して45°傾斜させた構成が記載されている。これにより、p偏光の成分とs偏光の成分が50%ずつ含まれる光がポリゴンミラーやレンズ等の表面に入射し、入射角がブリュースター角よりも小さい範囲内でこれら２種の偏光の強度が打ち消し合うため、反射角に対する強度変化を抑制することができる。特許文献４には、1/4波長板等を用いてレーザ光の直線偏光を円偏光に変換することにより、シェーディングを補正することができる、と記載されている。
【０００９】
【特許文献１】特開2004-109588号公報（[0022]〜[0033], 図3, 図7〜10）
【特許文献２】特開2005-055538号公報（[0055], [0056], 図3, 図9）
【特許文献３】特開平05-019191号公報（[0010]〜[0020], 図1〜図3）
【特許文献４】特開平06-148547号公報（[0005]）
【発明の開示】
【発明が解決しようとする課題】
【００１０】
本発明の課題は、隣接レーザ光同士の干渉を抑えることができ、それにより、被照射物の表面におけるレーザ光の強度のむらを抑えることができるレーザアレイを提供することにある。併せて、シェーディングによるレーザ光の強度のむらも抑えることができるレーザアレイを提供する。
【課題を解決するための手段】
【００１１】
上記課題を解決するために成された本発明に係るレーザアレイの第１の態様のものは、複数のレーザ素子が配列されて成るレーザアレイにおいて、
各レーザ素子が、最隣接のレーザ素子から発振されるレーザ光とは偏光の方向が異なるレーザ光が発振されるように配置されていることを特徴とする。
【００１２】
本発明に係るレーザアレイの第２の態様のものは、複数のレーザ素子が配列されて成るレーザアレイにおいて、
各レーザ素子が最隣接のレーザ素子から発振されるレーザ光とは波長が異なるレーザ光が発振されるように配置されていることを特徴とする。
【００１３】
第１の態様及び第２の態様のレーザアレイにおいて、各レーザ素子の偏光の方向は、最隣接のレーザ素子が並ぶ方向に対して45°傾いていることが望ましい。
【００１４】
第１及び第２の態様のレーザアレイは、前記レーザ素子に、活性層と、該活性層の一方の側に設けた２次元フォトニック結晶と、を有する２次元フォトニック結晶面発光レーザ素子を用いることにより好適に実現される。
第１の態様においては、スラブ状の部材内に該部材とは屈折率の異なる非円形の領域が多数配列され、最隣接するレーザ素子同士で異屈折率領域の向きが異なるように形成された２次元フォトニック結晶を用いることができる。
第２の態様においては、スラブ状の部材内に該部材とは屈折率の異なる領域が多数配列され、最隣接するレーザ素子同士で異屈折率領域の配列周期が異なるように形成された２次元フォトニック結晶を用いることができる。
【００１５】
上述の２次元フォトニック結晶面発光レーザ素子を用いたレーザアレイにおいて、複数のレーザ素子は一体のものとして作製することができる。そのようなレーザアレイは、１個の活性層と、１個のスラブ状部材が複数の結晶領域に分けられ最隣接の結晶領域同士で異屈折率領域の配列が異なるように形成されて成る１個の２次元フォトニック結晶と、前記結晶領域毎に該活性層及び該２次元フォトニック結晶を挟むように配置された電極対と、を有する。
【発明の効果】
【００１６】
第１の態様のレーザアレイによれば、最隣接の２個のレーザ素子から発振されるレーザ光は互いに偏光方向が異なるため、それらのレーザ光同士が干渉することを抑えることができる。そのため、ドラム感光体等の被照射物に照射されるレーザ光の強度が設計値からずれることを防ぐことができ、その結果、画像のむらが生じることを防ぐことができる。
特に、各レーザ素子が、最隣接のレーザ素子から発振されるレーザ光とは偏光の方向が90°異なる直線偏光のレーザ光が発振されるように配置されると、このような干渉が生じないため望ましい。
【００１７】
第２の態様のレーザアレイにおいても同様に、最隣接の２個のレーザ素子から発振されるレーザ光は互いに波長が異なるため、発振光同士が干渉せず、第１の態様のものと同様の効果を奏する。
【００１８】
第１の態様及び第２の態様のレーザアレイにおいて、各レーザ素子の偏光の方向を最隣接のレーザ素子が並ぶ方向に対して45°傾けることにより、この配置方向を走査方向に平行又は垂直に配置した時に、p偏光の成分とs偏光の成分が50%ずつ含まれるレーザ光がポリゴンミラーやレンズ等の表面に入射させることができる。これにより、入射角の変化による反射率の変化を抑えることができ、それによりシェーディングを抑えることができる。
【００１９】
面発光レーザ素子が２次元フォトニック結晶を用いたものである場合、その２次元フォトニック結晶における異屈折率領域の向きを変化させることにより、偏光の方向を容易に制御することができる。そのため、２次元フォトニック結晶面発光レーザ素子を用いることにより、互いに最隣接であるレーザ素子から発振されるレーザ光同士を異なる偏光にすることが容易となり、第１の態様のレーザアレイを容易に形成することができる。
【００２０】
また、２次元フォトニック結晶面発光レーザ素子は、異屈折率領域の配列周期を変化させることにより、発光されるレーザ光の波長を制御することができる。そのため、２次元フォトニック結晶面発光レーザ素子を用いることにより、互いに最隣接であるレーザ素子から発振されるレーザ光同士を異なる波長とすることも容易となり、第２の態様のレーザアレイを容易に形成することができる。
【００２１】
更に、２次元フォトニック結晶面発光レーザ素子では、活性層やフォトニック結晶層等を一体で形成し、電極対のみを分離して形成することにより、複数のレーザ素子を含むレーザアレイを容易に一体形成することができる。この場合、多数の小さい単一素子を集合実装する工程が不要となり、レーザアレイのコストを削減することができると共に、レーザアレイを小型化することができる。
【発明を実施するための最良の形態】
【００２２】
図２(a)に、第１の態様のレーザアレイの概念図を示す。図中の正方形の枠はレーザ素子を表す。このレーザアレイでは、隣接するレーザ素子２１１と２１２は、発振されるレーザ光の偏光方向が互いに90°異なっている。また、レーザ素子２１１と２１２はいずれも、それらが並ぶ方向に対して、レーザ光の偏光方向は45°傾いている。
【００２３】
図２(a)のレーザアレイにおいては、隣接するレーザ素子から発振される２つのレーザ光が干渉することがない。そのため、画像上で濃度ムラが現れることを防ぐことができる。
【００２４】
また、レーザ素子２１１と２１２の並ぶ方向に対してレーザ光の偏光方向を45°傾けることにより、いずれのレーザ素子からも、図３に示すように、ポリゴンミラーやレンズ等の表面３１に、入射面３２（表面３１の法線と入射レーザ光の経路を含む面）に対して45°の角度に直線偏光（偏光の方向を図中に矢印３３で示す）したレーザ光が入射する。これにより、入射レーザ光の入射面３２への入射角の変化による反射率の変化、即ちシェーディングを抑制することができる。図４に、屈折率が1.5である材料から成るレンズの表面を例に、入射角と反射率の関係を計算で求めた結果を示す。この図には、直線偏光の偏光方向と入射面３２の成す角度φが0°、45°及び90°である場合を示した。この図より、入射角が50°以下の範囲内において、角度φが45°の時に最も入射角の変化による反射率の変化が小さい、といえる。
【００２５】
図２(b)に、第２の態様のレーザアレイの概念図を示す。このレーザアレイでは、隣接するレーザ素子２２１と２２２に、それぞれ異なる波長のレーザ光が出射されるものを用いる。そのため、第１の態様のレーザアレイと同様に、一方のレーザ光の反射光と他方のレーザ光が干渉することや、２つのレーザ光が直接干渉することがない。
【００２６】
レーザプリンタや複写機等の印刷機器用のレーザ光走査装置に第１の態様又は第２の態様のレーザアレイを用いることにより、レーザアレイの各レーザ素子からのレーザ光の干渉による強度変化を抑えることができるため、画素毎の強度偏差を小さくして画質を向上させることができる。
【００２７】
図５に、第１の態様及び第２の態様の特徴を共に備えるレーザアレイの他の例を示す。この例では、最隣接のレーザ素子２３１、２３２同士で、発振波長及び偏光は共に異なる。そのため、最隣接のレーザ素子からのレーザ光が干渉することを一層抑制することができる。
【００２８】
上記の例のレーザアレイではレーザ素子を２個のみ示したが、本発明は例えば正方格子配列のような、周期的な２次元配列を有するレーザアレイにも適用することができる。そのような２次元配列を有するレーザアレイの例を、図６を用いて説明する。
図６(a)に示したレーザアレイの一例は、レーザ素子を縦に３個、横に３個、正方格子状に配列した３×３レーザアレイである。図中の符号４１ｍｎ（４１１１、４１２３等）はレーザ素子を指し、ｍはレーザ素子が格子の上からｍ行目にあることを、ｎはレーザ素子が格子の左からｎ列目にあることを、それぞれ示す。また、図中の矢印は、各レーザ素子から発振されるレーザ光の直線偏光の方向を示す。
このレーザアレイでは、縦方向に隣り合うレーザ素子同士、及び横方向に隣り合うレーザ素子同士が最隣接のレーザ素子である。この例では、これら最隣接のレーザ素子同士で、発振されるレーザ光の偏光方向が互いに90°異なっている。そのため、最隣接のレーザ素子から発振される２つのレーザ光同士が干渉することを抑えることができる。また、ｍが奇数である列にあるレーザ素子と、ｍが偶数である列にあるレーザ素子からは、異なる波長（λ1, λ2）のレーザ光が発振される。これにより、斜め方向に隣り合う次隣接のレーザ素子同士から発振される２つのレーザ光同士は互いに波長が異なるため、それらが干渉することを抑えることができる。
【００２９】
また、図６(b)に示すように、ある点を中心に周回するような偏光（以下、これを「接線偏光」と呼ぶ）を発振するレーザ素子と、直線偏光を発振するレーザ素子とを組み合わせて用いてもよい。図７に、接線偏光の例を示す。図中の矢印は偏光の方向である。このような偏光は、特開2000-332351号公報に記載の２次元フォトニック結晶面発光レーザにより得られる。図６(b)には、レーザ素子４２ｍｎのうち（ｍ＋ｎ）が奇数のものには接線偏光を発振するレーザ素子を、偶数のものには直線偏光を発振するレーザ素子を、それぞれ用いた。これにより、最隣接のレーザ素子同士は一方が直線偏光のレーザ光を、他方が接線偏光のレーザ光を、それぞれ発振するため、これら２つのレーザ光が干渉することを抑制することができる。また、ｍが奇数である列と偶数である列で、直線偏光を発振するレーザ素子は偏光方向が互いに90°異なるように、接線偏光を発振するレーザ素子は周回方向が互いに異なるように、それぞれ配置した。これにより、次隣接のレーザ素子同士から発振される２つのレーザ光同士は互いに偏光の方向が異なるため、それらが干渉することを抑えることができる。
【００３０】
図８に示した３×３レーザアレイでは、波長が777nm〜782nmの間で1nmずつ異なる6種類のレーザ素子を用い、最隣接及び次隣接のレーザ素子の波長が少なくとも1nm異なるように、各レーザ素子を配置している。これにより、最隣接及び次隣接のレーザ素子から発振されるレーザ光同士が干渉することを抑えることができる。なお、この例のように２つのレーザ光の波長が1nm異なれば、両者が干渉することはほとんどない。
【００３１】
なお、図６及び図８ではレーザ素子が縦に３個、横に３個、正方格子状に配列された３×３レーザアレイを例として説明したが、配列の大きさ（縦横の素子数）はもちろん任意である。
【００３２】
レーザ素子は、図９に示すように、直線状に配列してもよい。(a)は最隣接のレーザ素子同士が互いに異なる偏光を発振するように複数のレーザ素子４４１、４４２、４４３...を１次元状に配列したものであり、(b)は最隣接のレーザ素子同士が互いに異なる波長の光を発振するように複数のレーザ素子４５１、４５２、４５３...を１次元状に配列したものである。
【００３３】
なお、ここまではシェーディングを抑制するために、直線偏光のレーザ光を発するレーザ素子はいずれも偏光方向が素子の配列方向に対して45°傾くように配置しているが、用途によっては、最隣接のレーザ素子同士のレーザ光の干渉を抑制することのみを目的として、この傾きの角度を45°以外にしてもよい。例えば、図１０に示すように、素子の配列方向に対して0°の方向に偏光したレーザ素子４６１と90°の方向に偏光したレーザ素子４６２を並べて用いることができる。
【００３４】
本発明のレーザアレイにおけるレーザ素子には、２次元フォトニック結晶面発光レーザを好適に用いることができる。２次元フォトニック結晶面発光レーザは、活性層とその一方の側に設けた２次元フォトニック結晶層とを有する。活性層に電荷が注入されることにより発せられる所定波長の光は、２次元フォトニック結晶において、その周期構造により定在波が形成されることにより増幅される。この増幅作用により、レーザ発振が得られる。
【００３５】
２次元フォトニック結晶面発光レーザでは、スラブ状の部材に周期的に形成された異屈折率領域の向きを調整することにより、偏光の方向を容易に調整することができるため、本発明の第１の態様のレーザアレイにおけるレーザ素子に好適に用いることができる。ここで異屈折率領域の向きとは、異屈折率領域を配列した格子に対する、異屈折率領域の特定の軸（例えば楕円の長軸や多角形の特定の１辺）の成す角をいう。
また、２次元フォトニック結晶面発光レーザは、その周期構造の周期を調整することにより、発振波長を容易に調整することができるため、本発明の第２の態様のレーザアレイにおけるレーザ素子にも好適に用いることができる。
【実施例】
【００３６】
以下、実施例として、２次元フォトニック結晶面発光レーザを用いたレーザアレイを詳細に説明する。
まず、図１１を用いて、レーザアレイの構成要素としてのレーザ素子に用いられる２次元フォトニック結晶面発光レーザの一例を説明する。陽電極５１と陰電極５２の間に、Al0.1Ga0.9As/Al0.3Ga0.7Asから成り多重量子井戸（Multiple-Quantum Well; MQW）を有する活性層５３を設ける。活性層５３の上に、p型Al0.3Ga0.7Asから成るスペーサ層５６１を介して、同じくp型Al0.3Ga0.7As又はp型In0.49Ga0.51Pから成る２次元フォトニック結晶層５４を設ける。２次元フォトニック結晶層５４は板材（スラブ）に空孔５５を正方格子状に周期的に配置したものである。空孔５５の形状や周期等については後述する。なお、この図の例ではスペーサ層５６１と２次元フォトニック結晶層５４は１枚の一体の層として形成され、上側にある２次元フォトニック結晶層５４の方にのみ空孔５５が形成されている。活性層５３と陽電極５１の間に、p型Al0.3Ga0.7As又はp型In0.49Ga0.51Pから成るスペーサ層５６２、p型Al0.3Ga0.7As又はp型In0.49Ga0.51Pから成るクラッド層５７１及びp型GaAsから成るコンタクト層５８を設ける。また、活性層５３と陰電極５２の間に、n型Al0.3Ga0.7As又はp型In0.49Ga0.51Pから成るスペーサ層５６３及びn型AlGaAsから成るクラッド層５７２を設ける。
なお、空孔５５の代わりに、前記スラブとは屈折率の異なる部材（異屈折率部材）をスラブ内に周期的に配置してもよい。また、上に挙げた各層の材料は一例にしか過ぎない。活性層５３には従来の半導体レーザに用いられている活性層材料を用いることができ、２次元フォトニック結晶層５４の材料にはGaN、AlGaInPやGaInAsP等を用いることができる。スペーサ層５６２、クラッド層５７１及びコンタクト層５８には種々のp型半導体を用いることができ、スペーサ層５６３及びクラッド層５７２には種々のn型半導体（例えばクラッド層５７２にAl0.6Ga0.4As）を用いることができる。
【００３７】
２次元フォトニック結晶面発光レーザの動作を説明する。陽電極５１と陰電極５２の間に電圧を印加すると、陽電極５１側から正孔が、陰電極５２側から電子が、それぞれ活性層５３に注入され、正孔と電子の再結合により発光する。この光が２次元フォトニック結晶層５４によりフィードバックを受けてレーザ発振する。このレーザ光はコンタクト層５８（出射面）から外部に取り出される。
【００３８】
２次元フォトニック結晶面発光レーザは、直線偏光のレーザ光を得ることができ、その偏光方向を容易に制御することができるため、第１の態様のレーザアレイにおけるレーザ素子に好適に用いることができる。また、発振される光の波長を±5nm程度の範囲内で微調整することも容易であるため、第２の態様のレーザアレイにおけるレーザ素子にも好適に用いることができる。以下、偏光及び波長が制御された２次元フォトニック結晶面発光レーザ等の例を示す。
【００３９】
(1)偏光の制御
図１２に、偏光の方向が制御された２次元フォトニック結晶面発光レーザの２次元フォトニック結晶層５４の平面図を示す。図１２(a)に示す２次元フォトニック結晶層５４１及び図１２(b)に示す２次元フォトニック結晶層５４２は、スラブに楕円形の空孔５５１を正方格子（図中の破線）状に配列したものである。２次元フォトニック結晶層５４１と５４２では、空孔５５１の形状や大きさは同じであり、向きのみが異なる。楕円の長軸は、２次元フォトニック結晶層５４１では図の左下から右上に向かう方向に、２次元フォトニック結晶層５４２では図の左上から右下に向かう方向に、それぞれ向いている。
このような２次元フォトニック結晶層５４を有する２次元フォトニック結晶面発光レーザでは、２次元フォトニック結晶に４つのフォトニックバンドが形成され、そのうち最もエネルギー（周波数）の小さいバンドがレーザ発振に寄与する。そのバンドから発振されるレーザ光は、空孔５５１の楕円の長軸に平行な方向に直線偏光したレーザ光を発振する。従って、図１２の２次元フォトニック結晶層５４からは、空孔５５１の楕円の長軸方向、即ち２次元フォトニック結晶層５４１では図の左下から右上に向かう方向、２次元フォトニック結晶層５４２では図の左上から右下に向かう方向、への直線偏光がそれぞれ得られる。
【００４０】
２次元フォトニック結晶層５４１を有する２次元フォトニック結晶面発光レーザを図２(a)のレーザ素子２１１に、２次元フォトニック結晶層５４２を有する２次元フォトニック結晶面発光レーザを図２(a)のレーザ素子２１２に、それぞれ用いることにより、第１の態様のレーザアレイを得ることができる。
【００４１】
２次元フォトニック結晶層５４１及び５４２の楕円の楕円率（［短軸長］／［長軸長］×100(%)）は90%以上であることが望ましい。
楕円率が90%未満の場合には、長軸方向に溝が形成された状態に近くなり、長軸方向の光の閉じ込めが弱い。それに対して、楕円率が90%以上になるとそのような異方性が弱まり、面内のいずれの方向にも十分な光の閉じ込めが行われるようになり、レーザ発振が得られやすくなる。
【００４２】
次に、図１３(a)、(b)に、スラブに三角形の空孔５５２を正方格子状に配列した２種の２次元フォトニック結晶層５４３及び５４４を示す。第１の２次元フォトニック結晶層５４３(図１３(a))は空孔５５２の三角形の１辺を正方格子の１辺に平行に配置したものであり、第２の２次元フォトニック結晶層５４４（図１３(b)）は各三角形空孔５５２の向きを２次元フォトニック結晶層５４３の三角形空孔の向きから90°回転したものである。このような２次元フォトニック結晶層を有する２次元フォトニック結晶面発光レーザは、三角形の、格子に平行な辺の方向に直線偏光したレーザ光を発振する。なお、この図では正三角形の空孔を示したが、それ以外の形状の三角形空孔も用いることができる。
【００４３】
第１の２次元フォトニック結晶層５４３を有する２次元フォトニック結晶面発光レーザを例えば図２(a)のレーザ素子２１１に、第２の２次元フォトニック結晶層５４４を有する２次元フォトニック結晶面発光レーザを図２(a)のレーザ素子２１２に、それぞれ用いることにより、第１の態様のレーザアレイを得ることができる。
【００４４】
(2)波長の調整
図１４(a)に、スラブに円形の空孔５５３を正方格子状に配列した２次元フォトニック結晶層５４５を示す。空孔５５３の周期（正方格子の１辺の長さ）が235.5nm〜237.0nmの範囲内で0.3nmずつ異なる２次元フォトニック結晶を有する６種類の２次元フォトニック結晶面発光レーザを作製する。それら６種類のレーザからは、図１４(b)に示すように、発振波長が777nm〜782nmの範囲内で1nmずつ異なるレーザ光が発振される。これら６種類のレーザを、例えば図１４(b)に示したレーザ素子番号に合わせて、図８(b)の各レーザ素子に適用することにより、第２の態様のレーザアレイを得ることができる。なお、このレーザから発振されるレーザ光は特定の方向には偏光していない。
【００４５】
(3)複数の２次元フォトニック結晶面発光レーザを一体化したレーザアレイ
図１５に、２個の２次元フォトニック結晶面発光レーザ素子を一体化したレーザアレイの例を示す。
図１５(a)に、この一体型レーザアレイに用いられる２次元フォトニック結晶層５４の例を示す。１個のスラブが複数の結晶領域６２１、６２２、...に分かれ、各結晶領域にそれぞれ、楕円形の空孔５５が形成されている。隣接する結晶領域では、互いに空孔５５の楕円の長軸が90°異なる方向を向いている。
【００４６】
図１５(b)の斜視図に示すように、２次元フォトニック結晶層５４の下部には１個の活性層５３が形成されている。また、上述の２次元フォトニック結晶面発光レーザと同様にスペーサ層５６１〜５６３、クラッド層５７１及び５７２、コンタクト層５８が形成されている。そして、結晶領域６２１、６２２毎に、その直上のコンタクト層５８の表面に、陽電極６１１、６１２が配置されている。一方、クラッド層５７２の下部には１枚の陰電極５２が配置されている。
【００４７】
図１５(b)の一体型レーザアレイでは、陽電極６１１、６１２のいずれか１つと陰電極５２の間に電圧を印加すると、活性層５３において発光し、その光が、電圧印加に係る陽電極の直下にある結晶領域内において増幅され、その陽電極の周囲から外部へ、その結晶領域の楕円の長軸方向に直線偏光したレーザビームが発振する。即ち、この一体型レーザアレイは、単体のレーザ素子を多数並べたレーザアレイと同様の動作をする。そして、陽電極６１１と陰電極５２の間及び陽電極６１２と陰電極５２の間の双方に電圧を印加すると、陽電極６１１及び６１２の周囲からそれぞれ、互いに偏光方向が90°異なり、その偏光方向の違いにより互いに干渉することのないレーザビームが発振する。
【００４８】
図１５には結晶領域及び陽電極を２個ずつ設けた構成を示したが、図１６に示すように、結晶領域６２ｍｎ（ｍ、ｎは正の整数）を２次元状に多数配列し、各結晶領域毎に、その直上のコンタクト層５８の表面に陽電極６１ｍｎを配置してもよい。この場合、図６のレーザアレイと同様の構成にするために、ｍが奇数である結晶領域と偶数である結晶領域の空孔を異なる周期で配列することができる。
【００４９】
また、図１５及び図１６には、図１２に示した２次元フォトニック結晶と同様の空孔を各結晶領域に設ける例を示したが、もちろん、各結晶領域において、本実施例で示した図１３や図１４の２次元フォトニック結晶と同様に空孔を配列することもできる。
【図面の簡単な説明】
【００５０】
【図１】レーザアレイを用いたレーザ光走査装置の一例の概略構成図。
【図２】本発明の(a)第１の態様及び(b)第２の態様の例のレーザアレイの概略構成図。
【図３】ポリゴンミラー、レンズ等の表面３１と偏光方向３３の関係を示す斜視図。
【図４】入射角と反射率の関係を計算で求めた結果を示すグラフ。
【図５】第１の態様と第２の態様の特徴を共に備えるレーザアレイの一例の概略構成図。
【図６】本発明のレーザアレイの他の例を示す概略構成図。
【図７】発光面の中心を取り巻く偏光の例を示す図。
【図８】本発明のレーザアレイの他の例を示す概略構成図。
【図９】レーザ素子を１次元状に配列した、(a)第１の態様及び(b)第２の態様のレーザアレイを示す概略構成図。
【図１０】本発明のレーザアレイの他の例を示す概略構成図。
【図１１】２次元フォトニック結晶面発光レーザの基本的な構成を示す斜視図。
【図１２】第１の態様のレーザアレイに用いられる、楕円形の空孔４５１を有する２次元フォトニック結晶の例を示す平面図。
【図１３】第１の態様のレーザアレイに用いられる、三角形の空孔４５２を有する２次元フォトニック結晶の例を示す平面図。
【図１４】第２の態様のレーザアレイに用いられる、円形の空孔４５３を異なる周期で配置した２次元フォトニック結晶の例を示す平面図(a)、及び空孔２４３の周期と発振波長の関係を示す表(b)。
【図１５】２個の２次元フォトニック結晶面発光レーザを一体化したレーザアレイの例を示す平面図。
【図１６】複数の２次元フォトニック結晶面発光レーザを一体化したレーザアレイの例を示す平面図。
【符号の説明】
【００５１】
１０…レーザ光走査装置
１１…レーザアレイ
１２…コリメータレンズ
１３…アパチャ
１４…シリンドリカルレンズ
１５…ポリゴンミラー
１６…θレンズ
１７…ドラム感光体
２１１、２１２、２２１、２２２、２３１、２３２、４１ｍｎ、４２ｍｎ、４３ｍｎ（ｍ、ｎは正の整数）、４４１、４４２、...、４５１、４５２、...４６１、４６２…レーザ素子
３１…ポリゴンミラー等の表面
３２…入射面
３３…偏光方向を示す矢印
５１、６１１、６１２、...、６１ｍｎ（ｍ、ｎは正の整数）…陽電極
５２…陰電極
５３…活性層
５４、５４１〜５４７…２次元フォトニック結晶層
５５、５５１、５５２、５５３…空孔
５６１〜５６３…スペーサ層
５７１、５７２…クラッド層
５８…コンタクト層
６２１、６２２、...、６２ｍｎ（ｍ、ｎは正の整数）…結晶領域
【図１】
2008060433.tif 000003
【図２】
2008060433.tif 000004
【図３】
2008060433.tif 000005
【図４】
2008060433.tif 000006
【図５】
2008060433.tif 000007
【図６】
2008060433.tif 000008
【図７】
2008060433.tif 000009
【図８】
2008060433.tif 000010
【図９】
2008060433.tif 000011
【図１０】
2008060433.tif 000012
【図１１】
2008060433.tif 000013
【図１２】
2008060433.tif 000014
【図１３】
2008060433.tif 000015
【図１４】
2008060433.tif 000016
【図１５】
2008060433.tif 000017
【図１６】
2008060433.tif 000018